(57)【要約】  本発明は、チャネル状態情報のフィードバック及びその制御方法及び装置を開示し、大規模のアンテナシステム場合のＣＳＩのフィードバックを実施できるようにし、かつ、一部のＰＭＩ情報のみをフィードバックする必要があるため、ＵＥがＣＳＩをフィードバックする際の煩雑さが低減され、ネットワーク側がＵＥのＣＳＩのフィードバックをより柔軟的に制御することができる。本発明にかかるチャネル状態情報（ＣＳＩ）のフィードバックを制御する方法は、基地局は、ＵＥのＣＳＩのフィードバックに対する制御が必要と決定するステップであって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する前期決定ステップと、前記基地局は、前記ＵＥにＣＳＩのフィードバックのトリガー・シグナリングを送信するステップであって、前記トリガー・シグナリングには、第１ＰＭＩ及び/または第２ＰＭＩをフィードバックするか否かを前記ＵＥに指示するための指示情報が含まれる前記送信ステップと、を備える。【選択図】図１
2018524868.tif 000002
【特許請求の範囲】
【請求項１】
基地局は、ＵＥのＣＳＩのフィードバックに対する制御が必要と決定するステップであって、前記ＣＳＩにには、少なくとも第１プリコーディングマトリックスインジケーター情報（ＰＭＩ）が含まれ、第２ＰＭＩ，前記第１ＰＭＩ及び前記第２ＰＭＩは同一のプリコーディングマトリックスに対応する前記決定ステップと、 
前記基地局は、前記ＵＥにＣＳＩのフィードバックのトリガー・シグナリングを送信するステップであって、前記トリガー・シグナリングには、第１ＰＭＩ及び/または第２ＰＭＩをフィードバックするか否かを前記ＵＥに指示するための指示情報が含まれる前記送信ステップとを備えることを特徴とするチャネル状態情報（ＣＳＩ）のフィードバックを制御する方法。
【請求項２】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項１に記載のチャネル状態情報（ＣＳＩ）のフィードバックを制御する方法。
【請求項３】
前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされることを特徴とする請求項２に記載のチャネル状態情報（ＣＳＩ）のフィードバックを制御する方法。
【請求項４】
前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、
または、前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれることを特徴とする請求項１に記載のチャネル状態情報（ＣＳＩ）のフィードバックを制御する方法。
【請求項５】
前記トリガー・シグナリングに、ＵＥが第２ＰＭＩをフィードバックするように指示するための指示情報が含まれていない場合、前記方法は、前記基地局は、高位層シグナリングにより、第２ＰＭＩを決定するための指示情報をＵＥに擬似静的に通知するステップをさらに備え、
または、
前記トリガー・シグナリングにＵＥが第１ＰＭＩをフィードバックするように指示するための指示情報が含まれていない場合、前記方法は、前記基地局は、高位層シグナリングにより、前記第１ＰＭＩを決定するための指示情報をＵＥに擬似静的に通知するステップをさらに備えることを特徴とする請求項１に記載のチャネル状態情報（ＣＳＩ）のフィードバックを制御する方法。
【請求項６】
前記トリガー・シグナリングに、ＵＥが第２ＰＭＩをフィードバックするように指示するための指示情報が含まれていない場合、前記基地局は、前記ＵＥが前回にフィードバックした第２ＰＭＩを利用して第２ＰＭＩを決定するように制御し、または、
前記トリガー・シグナリングにＵＥが第１ＰＭＩをフィードバックするように指示するための指示情報が含まれていない場合、前記基地局は、前記ＵＥが前回にフィードバックした第１ＰＭＩを利用して第１ＰＭＩを決定する用に制御することを特徴とする請求項１に記載のチャネル状態情報（ＣＳＩ）のフィードバックを制御する方法。
【請求項７】
前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれ、または、
前記トリガー・シグナリングにＵＥが第１ＰＭＩをフィードバックするように指示するための指示情報が含まれていない場合、前記トリガー・シグナリングには、ＵＥが高位層シグナリングにより擬似静的に通知された、第１ＰＭＩ、または、前回にフィードバックした第１ＰＭＩを利用して第１ＰＭＩを決定するための指示情報が含まれることを特徴とする請求項１に記載のチャネル状態情報（ＣＳＩ）のフィードバックを制御する方法。
【請求項８】
ＵＥは、基地局からＣＳＩのフィードバックのトリガー・シグナリングを受信するステップであって、前記トリガー・シグナリングには、前記ＵＥが第１プリコーディングマトリックスインジケーター情報（ＰＭＩ）及び/または第２ＰＭＩをフィードバックするか否かを指示するための指示情報が含まれる前記受信ステップと、
前記ＵＥは、前記トリガー・シグナリングに基づき、ＣＳＩをフィードバックするステップとを備えることを特徴とするチャネル状態情報（ＣＳＩ）のフィードバック方法。
【請求項９】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項８に記載のチャネル状態情報（ＣＳＩ）のフィードバック方法。
【請求項１０】
前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされることを特徴とする請求項９に記載のチャネル状態情報（ＣＳＩ）のフィードバック方法。
【請求項１１】
前記トリガー・シグナリングには、前記ＵＥが前記第１ＰＭＩをフィードバックしないが、前記第２ＰＭＩをフィードバックするように指示するための指示情報と、前記ＵＥが前記第１ＰＭＩをフィードバックしないが、前記第２ＰＭＩをフィードバックするように第１ＰＭＩを決定するための指示情報とが含まれ、前記ＵＥが前記トリガー・シグナリングに基づき、ＣＳＩをフィードバックするのは、前記ＵＥは、前記第１ＰＭＩの指示情報に基づき、第１ＰＭＩを決定し、かつ、第１ＰＭＩに基づいて第２ＰＭＩを決定して、前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれ、前記ＵＥが前記トリガー・シグナリングに基づき、ＣＳＩをフィードバックするのは、前記ＵＥは、前記第２ＰＭＩの指示情報二基づき、第２ＰＭＩを決定し、かつ、第２ＰＭＩに基づいて第１ＰＭＩを決定して、前記第１ＰＭＩを前記基地局にフィードバックすることを特徴とする請求項８に記載のチャネル状態情報（ＣＳＩ）のフィードバック方法。
【請求項１２】
前記トリガー・シグナリングに、ＵＥが第２ＰＭＩをフィードバックするように指示するための指示情報が含まれていない場合、前記ＵＥが前記トリガー・シグナリングに基づき、ＣＳＩをフィードバックするのは、前記ＵＥは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックし、
または、前記トリガー・シグナリングにＵＥが第１ＰＭＩをフィードバックするように指示するための指示情報が含まれていない場合、前記ＵＥが前記トリガー・シグナリングに基づき、ＣＳＩをフィードバックするのは、前記ＵＥは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックすることを特徴とする請求項８に記載のチャネル状態情報（ＣＳＩ）のフィードバック方法。
【請求項１３】
ＵＥによるＣＳＩのフィードバックに対する制御が必要であることを決定する第１ユニットであって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する前記第１ユニットと、
前記ＵＥにＣＳＩのフィードバックに対するトリガー・シグナリングを送信し、前記トリガー・シグナリングには、第１ＰＭＩ及び/または第２ＰＭＩをフィードバックするか否かを前記ＵＥに指示するための指示情報が含まれる第２ユニットとを備えることを特徴とするチャネル状態情報（ＣＳＩ）のフィードバック制御装置。
【請求項１４】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項１３に記載のチャネル状態情報（ＣＳＩ）のフィードバック制御装置。
【請求項１５】
前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、
または、
前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれることを特徴とする請求項１３に記載のチャネル状態情報（ＣＳＩ）のフィードバック制御装置。
【請求項１６】
前記トリガー・シグナリングに、ＵＥが第２ＰＭＩをフィードバックするように指示するための指示情報が含まれていない場合、前記第２ユニットは、高位層シグナリングにて第２ＰＭＩを決定するための指示情報をＵＥに擬似静的に通知し、
または、
前記トリガー・シグナリングにＵＥが第１ＰＭＩをフィードバックするように指示するための指示情報が含まれていない場合、前記第２ユニットは、高位層シグナリングにて前記第１ＰＭＩを決定するための指示情報をＵＥに擬似静的に通知することを特徴とする請求項１３に記載のチャネル状態情報（ＣＳＩ）のフィードバック制御装置。
【請求項１７】
前記トリガー・シグナリングに、ＵＥが第２ＰＭＩをフィードバックするように指示するための指示情報が含まれていない場合、前記トリガー・シグナリングには、ＵＥが高位層シグナリングにより擬似静的に通知された第２ＰＭＩまたは、前回にフィードバックした第２ＰＭＩを利用して第２ＰＭＩを決定するように指示する指示情報が含まれるか、
または、
前記トリガー・シグナリングにＵＥが第１ＰＭＩをフィードバックするように指示するための指示情報が含まれていない場合、前記トリガー・シグナリングには、ＵＥが高位層シグナリングにより擬似静的に通知された、第１ＰＭＩまたは、前回にフィードバックした第１ＰＭＩを利用して第１ＰＭＩを決定するための指示情報が含まれることを特徴とする請求項１３に記載のチャネル状態情報（ＣＳＩ）のフィードバック制御装置。
【請求項１８】
基地局から送信されたＣＳＩのフィードバックのトリガー・シグナリングを受信する受信ユニットであって、前記トリガー・シグナリングに、前記ＵＥが第１プリコーディングマトリックスインジケーター情報（ＰＭＩ）及び/または第２ＰＭＩをフィードバックするか否かを指示するための指示情報が含まれる前記受信ユニットと、
前記トリガー・シグナリングに基づき、ＣＳＩをフィードバックするフィードバックユニットとを備えることを特徴とするチャネル状態情報（ＣＳＩ）のフィードバック制御装置。
【請求項１９】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項１８に記載のチャネル状態情報（ＣＳＩ）のフィードバック制御装置。
【請求項２０】
前記トリガー・シグナリングには、前記ＵＥが前記第１ＰＭＩをフィードバックしないが、前記第２ＰＭＩをフィードバックするように指示するための指示情報と、前記ＵＥが前記第１ＰＭＩをフィードバックしないが、前記第２ＰＭＩをフィードバックするように第１ＰＭＩを決定するための指示情報とが含まれ、前記フィードバックユニットは、前記第１ＰＭＩの指示情報に基づき、第１ＰＭを決定し、第１ＰＭＩに基づき第２ＰＭＩを決定して、前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれ、前記フィードバックユニットは、前記第２ＰＭＩの指示情報に基づき、第２ＰＭＩを決定し、第２ＰＭＩに基づいて第１ＰＭＩを決定して、前記第１ＰＭＩを前記基地局にフィードバックすることを特徴とする請求項１８に記載のチャネル状態情報（ＣＳＩ）のフィードバック制御装置。
【請求項２１】
前記トリガー・シグナリングに、ＵＥが第２ＰＭＩをフィードバックするように指示するための指示情報が含まれていない場合、前記フィードバックユニットは、プリセットされた第２ＰＭＩ、または、前記基地局から高位層シグナリングにてＵＥに擬似静的に通知した前記第２ＰＭＩを決定するための指示情報、または、是前回報告された第２ＰＭＩに基づいて、第１ＰＭＩを決定し、前記第１ＰＭＩを前記基地局にフィードバックし、
または、前記トリガー・シグナリングにＵＥが第１ＰＭＩをフィードバックするように指示するための指示情報が含まれていない場合、前記フィードバックユニットは、プリセットされた第１ＰＭＩ、または、前記基地局から高位層シグナリングにより、ＵＥに擬似静的に通知した前記第１ＰＭＩを決定するための指示情報、または、前回報告された第１ＰＭＩに基づいて、第２ＰＭＩを決定し、前記第２ＰＭＩを前記基地局にフィードバックすることを特徴とする請求項１８に記載のチャネル状態情報（ＣＳＩ）のフィードバック制御装置。
【発明の詳細な説明】
【技術分野】
【０００１】
本発明は通信技術分野に関し、特にチャネル状態情報のフィードバック及びその制御方法及び装置に関する。
【背景技術】
【０００２】
ＦＤＤ（Ｆｒｅｑｕｅｎｃｙ Ｄｉｖｉｓｉｏｎ Ｄｕｐｌｅｘ）システムにおいて、三次元のビームフォーミングやプリコーディングを実施するために、ＵＥ（Ｕｓｅｒ Ｅｑｕｉｐｍｅｎｔ，ＵＥ）から報告されたチャネル状態情報（Ｃｈａｎｎｅｌ Ｓｔａｔｅ Ｉｎｆｏｒｍａｔｉｏｎ，ＣＳＩ）を必要とする。従来のＬＴＥ（Ｌｏｎｇ Ｔｅｒｍ Ｅｖｏｌｕｔｉｏｎ）システムには、２、４、８ アンテナポートのチャネルフィードバックが定義されており、コードブックでチャネルフィードバックを行う。ネットワーク及びＵＥには、まず、共有のコードブック（ｃｏｄｅｂｏｏｋ）が定義され、各々のｃｏｄｅｂｏｏｋに、１組の可能のプリコーディングマトリックス（ｐｒｅｃｏｄｉｎｇ ｍａｔｒｉｘ）が含まれ、コードワード（ｃｏｄｅｗｏｒｄ）とも呼ばれる。それぞれのコードワードは、ＵＥによりフィードバックされるプリコーディングマトリックス（ｐｒｅｃｏｄｉｎｇ ｍａｔｒｉｘ）であり、ＵＥは、ｃｏｄｅｂｏｏｋから最適のｃｏｄｅｗｏｒｄを選出して、そのインデックス（ｉｎｄｅｘ）をフィードバックし、これは、プリコーディングマトリックスインジケーター（Ｐｒｅｃｏｄｉｎｇ Ｍａｔｒｉｘ Ｉｎｄｉｃａｔｏｒ，ＰＭＩ）と呼ばれる。ＰＭＩをフィードバックするとともに、ＵＥは、フィードバックＰＭＩに対応するランクインジケーター（Ｒａｎｋ Ｉｎｄｉｃａｔｏｒ，ＲＩ）をフィードバックし、これは、支援できるコードストリームの数、及びＲＩ/ＰＭＩ場合のチャネルクオリティインジケーター（Ｃｈａｎｎｅｌ Ｑｕａｌｉｔｙ Ｉｎｄｉｃａｔｏｒ，ＣＱＩ）に同一視することができる。フィードバックされたＰＭＩに対応するｐｒｅｃｏｄｉｎｇ ｍａｔｒｉｘのサイズは、Ｎｔ ｘ ＲＩであり、ここで、Ｎｔは基地局アンテナの数（例えば２,４,８）である。
【０００３】
ＣＳＩのフィードバックは、周期的（ｐｅｒｉｏｄｉｃ）または非周期的（ａｐｅｒｉｏｄｉｃ）におこなってもよい。ａｐｅｒｉｏｄｉｃの場合、ｅＮＢは、ＵＥがフィードバックされるＣＳＩをシグナリングにより報告するように、動的にスケジューリングする。ＬＴＥには、ａｐｅｒｉｏｄｉｃの手段でアップリンググラント（ＵＬ ｇｒａｎｔ）により実施される。ｅＮＢが物理アップリング共有チャネル（Ｐｈｙｓｉｃａｌ Ｕｐｌｉｎｋ Ｓｈａｒｅｄ Ｃｈａｎｎｅｌ，ＰＵＳＣＨ）をスケジューリングしてアップリングデータ伝送を行う場合、アップリンググラント（ｕｐｌｉｎｋ ｇｒａｎｔ）を示すダウンリンク制御情報（Ｄｏｗｎｌｉｎｋ Ｃｏｎｔｒｏｌ Ｉｎｆｏｒｍａｔｉｏｎ，ＤＣＩ）を送信して、ＵＥのアップリング伝送のパラメータ、例えば、伝送場合の帯域幅，伝送場合の周波数領域リソース（例えば、物理リソースブロック（Ｐｈｙｓｉｃａｌ Ｒｅｓｏｕｒｃｅ Ｂｌｏｃｋｓ，ＰＲＢ）伝送電力などを知らせる。ＤＣＩにおいて、ＵＥがＰＵＳＣＨアップリングデータを伝送する場合、ＣＳＩもともにフィードバックするかを通知するための一部の制御シグナリングを有することができる。従来のシステムにおけるＤＣＩについて、１−ｂｉｔでトリガーし、即ち、ＵＥがＣＳＩをフィードバックするか否かを示す。１−ｂｉｔ = ０の場合、ＵＥは、ＣＳＩをフィードバックしない。１−ｂｉｔ = １の場合、ＵＥは、ＣＳＩ（ＲＩ、ＰＭＩ及びＣＱＩが含まれる）及びＰＵＳＣＨデータをともにフィードバックする。従来のシステムは、ＣＳＩをフィードバックする一方、アップリングデータを伝送しない動作のみをサポートするため、この場合、ＵＥがＰＵＳＣＨ伝送中にＣＳＩのフィードバックするが、ＰＵＳＣＨにはアップリングデータが含まれない。ここで、ＰＭＩは、プリコーディングマトリックスインジケーターであり、コードブック（ｃｏｄｅｂｏｏｋ）におけるコードワード（ｃｏｄｅｗｏｒｄ）を示し、対応のアンテナ数は、２、４または８である。
【０００４】
大規模のアンテナシステムについて、新世代の無線システムを利用して研究を行っており、３Ｄ−ＭＩＭＯ（３Ｄ−Ｍｕｌｔｉｐｌｅ Ｉｎｐｕｔ Ｍｕｌｔｉｐｌｅ Ｏｕｔｐｕｔ）ども呼ばれる。３Ｄ−ＭＩＭＯの１重要な特性として、基地局側のアンテナ数が非常に多い、かつ、２次元アンテナ構造であることである。例えば、１６、３２、６４個のアンテナなど有することで、大規模のアンテナシステムど称される。
【０００５】
しかしながら、従来技術に、大規模のアンテナシステム場合のＣＳＩのフィードバック案をまだ提出されていない。
【発明の概要】
【発明が解決しようとする課題】
【０００６】
本発明に係る実施例は、チャネル状態情報のフィードバック及びその制御方法及び装置を提供し、大規模のアンテナシステム場合のＣＳＩのフィードバックを実施させ、かつ、ＵＥは一部のＰＭＩ情報のみをフィードバックする必要があるため、ＵＥがＣＳＩをフィードバックする際の煩雑さが低減され、ネットワーク側がＵＥのＣＳＩのフィードバックをより柔軟的に制御することができる。
【課題を解決するための手段】
【０００７】
本発明に係る実施例が提供するチャネル状態情報（ＣＳＩ）のフィードバックを制御する方法は、
基地局は、ＵＥのＣＳＩのフィードバックに対する制御が必要と決定するステップであって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する前記決定ステップと、 
前記基地局は、前記ＵＥにＣＳＩのフィードバックのトリガー・シグナリングを送信するステップであって、前記トリガー・シグナリングには、第１ＰＭＩ及び/または第２ＰＭＩをフィードバックするか否かを前記ＵＥに指示するための指示情報が含まれる前記送信ステップとを備える。
【０００８】
当該方法によれば、基地局は、ＵＥのＣＳＩのフィードバックに対する制御が必要と決定し、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応し、前記基地局は、前記ＵＥにＣＳＩのフィードバックのトリガー・シグナリングを送信し、前記トリガー・シグナリングには、第１ＰＭＩ及び/または第２ＰＭＩをフィードバックするか否かを前記ＵＥに指示するための指示情報が含まれる。こうして、大規模のアンテナシステム場合のＣＳＩのフィードバックを実施できるようになり、かつ、大規模のアンテナシステムにおいて、ＵＥが一部のＰＭＩ情報のみをフィードバックするようになるため、ＣＳＩのフィードバックの煩雑さが低減され、かつ、ネットワーク側がＵＥのＣＳＩのフィードバックをより柔軟的に制御することができる。
【０００９】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００１０】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。 
【００１１】
好ましくは、前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、
または、前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれる。
【００１２】
好ましくは、前記トリガー・シグナリングに、ＵＥが第２ＰＭＩをフィードバックするように指示するための指示情報が含まれていない場合、前記方法は、前記基地局は、高位層シグナリングにより、第２ＰＭＩを決定するための指示情報をＵＥに擬似静的に通知するステップをさらに備え、
または、前記トリガー・シグナリングにＵＥが第１ＰＭＩをフィードバックするように指示するための指示情報が含まれていない場合、前記方法は、前記基地局は、高位層シグナリングにより、前記第１ＰＭＩを決定するための指示情報をＵＥに擬似静的に通知するステップをさらに備える。
【００１３】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定し、
または、前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【００１４】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにより擬似静的に通知された第２ＰＭＩまたは、前回にフィードバックした第２ＰＭＩを利用して第２ＰＭＩを決定するように指示する指示情報が含まれる、または、
前記トリガー・シグナリングにＵＥが第１ＰＭＩをフィードバックするように指示するための指示情報が含まれていない場合、前記トリガー・シグナリングには、ＵＥが高位層シグナリングにより擬似静的に通知された、第１ＰＭＩまたは、前回にフィードバックした第１ＰＭＩを利用して第１ＰＭＩを決定するための指示情報が含まれる。
【００１５】
本発明に係る実施例が提供するチャネル状態情報（ＣＳＩ）のフィードバック方法は、
ＵＥは、基地局からＣＳＩのフィードバックのトリガー・シグナリングを受信ステップであって、前記トリガー・シグナリングには、前記ＵＥが第１プリコーディングマトリックスインジケーター情報（ＰＭＩ）及び/または第２ＰＭＩをフィードバックするか否かを指示するための指示情報が含まれる前記受信ステップと、
前記ＵＥは、前記トリガー・シグナリングに基づき、ＣＳＩをフィードバックするステップとを備える。
【００１６】
前記方法によれば、ＵＥは、基地局からＣＳＩのフィードバックのトリガー・シグナリングを受信し、前記トリガー・シグナリングには、前記ＵＥが第１プリコーディングマトリックスインジケーター情報（ＰＭＩ）及び/または第２ＰＭＩをフィードバックするか否かを指示するための指示情報が含まれ、前記ＵＥは、前記トリガー・シグナリングに基づき、ＣＳＩをフィードバックする。こうして、大規模のアンテナシステム場合のＣＳＩのフィードバックを実施できるようにさせ、かつ、基地局により送信されたＣＳＩのフィードバックのトリガー・シグナリングに、前記ＵＥが第１プリコーディングマトリックスインジケーター情報（ＰＭＩ）または第２ＰＭＩをフィードバックするか否かを指示するための指示情報が含まれる場合、ＵＥは、一部次元のアンテナのＣＳＩのみをフィードバックすればよいため、ＣＳＩのフィードバックの煩雑さが低減され、また、ネットワーク側がＵＥのＣＳＩのフィードバックをより柔軟的に制御することができる。
【００１７】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００１８】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００１９】
好ましくは、前記アンテナアレイがM本の垂直の次元のアンテナ及びN本の水平の次元のアンテナより構成される場合、Ｍ個のコードワードが含まれる第１コードブックと、Ｎ個のコードワードが含まれる第２コードブックとがプリセットされており、
前記トリガー・シグナリングには、前記ＵＥが垂直の次元のアンテナの第１プリコーディングマトリックスインジケーター（ＰＭＩ）をフィードバックするように指示するための指示情報、または、水平の次元のアンテナの第２ＰＭＩをフィードバックするように指示するための指示情報が含まれ、前記第１ＰＭＩは、第１コードブックにおけるコードワードと対応し、前記第２ＰＭＩは、第２コードブックにおけるコードワードに対応する。
【００２０】
好ましくは、前記トリガー・シグナリングには、前記ＵＥが前記第１ＰＭＩをフィードバックしないが、前記第２ＰＭＩをフィードバックするように指示するための指示情報と、前記第１ＰＭＩを決定するための指示情報とが含まれ、前記ＵＥが、前記トリガー・シグナリングに基づき、ＣＳＩをフィードバックするのは、前記ＵＥは、前記第１ＰＭＩの指示情報に基づき、第１ＰＭＩを決定し、かつ、第１ＰＭＩに基づいて第２ＰＭＩを決定して、前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれ、前記ＵＥが、前記トリガー・シグナリングに基づき、ＣＳＩをフィードバックするのは、前記ＵＥは、前記第２ＰＭＩの指示情報二基づき、第２ＰＭＩを決定し、かつ、第２ＰＭＩに基づいて第１ＰＭＩを決定して、前記第１ＰＭＩを前記基地局にフィードバックする。
【００２１】
好ましくは、前記トリガー・シグナリングに、ＵＥが第２ＰＭＩをフィードバックするように指示するための指示情報が含まれていない場合、前記ＵＥが前記トリガー・シグナリングに基づき、ＣＳＩをフィードバックするのは、前記ＵＥは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックするか、
または、前記トリガー・シグナリングにＵＥが第１ＰＭＩをフィードバックするように指示するための指示情報が含まれていない場合、前記ＵＥが、前記トリガー・シグナリングに基づき、ＣＳＩをフィードバックするのは、前記ＵＥは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックする。
【００２２】
本発明に係る実施例が提供するチャネル状態情報（ＣＳＩ）のフィードバック制御装置は、
ＵＥによるＣＳＩのフィードバックに対する制御が必要であることを決定する第１ユニットであって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する第１ユニットと、
前記ＵＥにＣＳＩのフィードバックに対するトリガー・シグナリングを送信する第２ユニットであって、前記トリガー・シグナリングには、第１ＰＭＩ及び/または第２ＰＭＩをフィードバックするか否かを前記ＵＥに指示するための指示情報が含まれる前記第２ユニットとを備える。
【００２３】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００２４】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００２５】
好ましくは、前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、または、
前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれる。
【００２６】
好ましくは、前記トリガー・シグナリングに、ＵＥが第２ＰＭＩをフィードバックするように指示するための指示情報が含まれていない場合、前記第２ユニットは、通ケ 高位層シグナリングにて第２ＰＭＩを決定するための指示情報をＵＥに擬似静的に通知し、または、
前記トリガー・シグナリングにＵＥが第１ＰＭＩをフィードバックするように指示するための指示情報が含まれていない場合、前記第２ユニットは、高位層シグナリングにて前記第１ＰＭＩを決定するための指示情報をＵＥに擬似静的に通知する。
【００２７】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定し、または、
前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【００２８】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれ、または、
前記トリガー・シグナリングにＵＥが第１ＰＭＩをフィードバックするように指示するための指示情報が含まれていない場合、前記トリガー・シグナリングには、ＵＥが高位層シグナリングにて擬似静的に通知された第１ＰＭＩを利用するかまたは前回にフィードバックした第１ＰＭＩを利用して第１ＰＭＩを決定するように指示するための指示情報が含まれる。
【００２９】
本発明に係る実施例が提供するチャネル状態情報（ＣＳＩ）のフィードバック装置は、
基地局から送信されたＣＳＩのフィードバックのトリガー・シグナリングを受信する受信ユニットであって、前記トリガー・シグナリングには、前記ＵＥが第１プリコーディングマトリックスインジケーター情報（ＰＭＩ）及び/または第２ＰＭＩをフィードバックするか否かを指示するための指示情報が含まれる前記受信ユニットと、
前記トリガー・シグナリングに基づき、ＣＳＩをフィードバックするフィードバックユニットとを備える。
【００３０】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００３１】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００３２】
好ましくは、前記トリガー・シグナリングには、前記ＵＥが前記第１ＰＭＩをフィードバックしないが、前記第２ＰＭＩをフィードバックするように指示するための指示情報と、前記ＵＥが前記第１ＰＭＩをフィードバックしないが、前記第２ＰＭＩをフィードバックするように第１ＰＭＩを決定するための指示情報とが含まれ、前記フィードバックユニットは、前記第１ＰＭＩの指示情報に基づき、第１ＰＭを決定し、第１ＰＭＩに基づき第２ＰＭＩを決定して、前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれ、前記フィードバックユニットは、前記第２ＰＭＩの指示情報に基づき、第２ＰＭＩを決定し、第２ＰＭＩに基づいて第１ＰＭＩを決定して、前記第１ＰＭＩを前記基地局にフィードバックする。
【００３３】
好ましくは、前記トリガー・シグナリングに、ＵＥが第２ＰＭＩをフィードバックするように指示するための指示情報が含まれていない場合、前記フィードバックユニットは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックし、
または、前記トリガー・シグナリングにＵＥが第１ＰＭＩをフィードバックするように指示するための指示情報が含まれていない場合、前記フィードバックユニットは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックする。
【００３４】
ネットワーク側において、本発明に係る実施例が提供する他のチャネル状態情報（ＣＳＩ）のフィードバック制御装置は、プロセッサを備え、
前記プロセッサは、メモリに格納されたプログラムを読み出して
ＵＥによるＣＳＩのフィードバックに対する制御が必要であることを決定し、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する；
制御送受信機は、前記ＵＥにＣＳＩのフィードバックに対するトリガー・シグナリングを送信し、前記トリガー・シグナリングには、第１ＰＭＩ及び/または第２ＰＭＩをフィードバックするか否かを前記ＵＥに指示するための指示情報が含まれる。
【００３５】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれ、
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００３６】
好ましくは、前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、または、
前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれる。
【００３７】
好ましくは、前記トリガー・シグナリングに、ＵＥが第２ＰＭＩをフィードバックするように指示するための指示情報が含まれていない場合、前記プロセッサは、送受信機を制御して、高位層シグナリングにて前記第２ＰＭＩを決定するための指示情報をＵＥに擬似静的に通知する。
【００３８】
または、前記トリガー・シグナリングにＵＥが第１ＰＭＩをフィードバックするように指示するための指示情報が含まれていない場合、前記プロセッサは、送受信機を制御して高位層シグナリングにて前記第１ＰＭＩを決定するための指示情報をＵＥに擬似静的に通知する。
【００３９】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定する。
【００４０】
または、前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【００４１】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれる。
【００４２】
または、前記トリガー・シグナリングにＵＥが第１ＰＭＩをフィードバックするように指示するための指示情報が含まれていない場合、前記トリガー・シグナリングには、ＵＥが高位層シグナリングにて擬似静的に通知された第１ＰＭＩを利用するかまたは前回にフィードバックした第１ＰＭＩを利用して第１ＰＭＩを決定するように指示するための指示情報が含まれる。
【００４３】
これに応じるように、ＵＥ側において、本発明に係る実施例が提供するチャネル状態情報（ＣＳＩ）のフィードバック装置は、プロセッサを備える。
【００４４】
前記プロセッサは、メモリに格納されたプログラムを読み出して、
送受信機を制御して基地局から送信されたＣＳＩのフィードバックのトリガー・シグナリングを受信し、前記トリガー・シグナリングに基づき、送受信機を制御してＣＳＩをフィードバックする。前記トリガー・シグナリングには、前記ＵＥが第１プリコーディングマトリックスインジケーター情報（ＰＭＩ）及び/または第２ＰＭＩをフィードバックするか否かを指示するための指示情報が含まれる。
【００４５】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００４６】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００４７】
好ましくは、前記トリガー・シグナリングには、前記ＵＥが前記第１ＰＭＩをフィードバックしないが、前記第２ＰＭＩをフィードバックするように指示するための指示情報と、前記第１ＰＭＩを決定するための指示情報とが含まれ、前記プロセッサは、前記第１ＰＭＩの指示情報に基づき、第１ＰＭを決定し、かつ、第１ＰＭＩに基づき、第２ＰＭＩを決定し、送受信機を制御して前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれ、前記プロセッサは、前記第２ＰＭＩの指示情報に基づき、第２ＰＭＩを決定し、かつ、第２ＰＭＩに基づき第１ＰＭＩを決定して、前記第１ＰＭＩを前記基地局フィードバックするように送受信機を制御する。
【００４８】
好ましくは、前記トリガー・シグナリングに、ＵＥが第２ＰＭＩをフィードバックするように指示するための指示情報が含まれていない場合、前記プロセッサは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定し、前記第１ＰＭＩを前記基地局にフィードバックするように送受信機を制御し、
または、前記トリガー・シグナリングにＵＥが第１ＰＭＩをフィードバックするように指示するための指示情報が含まれていない場合、前記プロセッサは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定し、前記第２ＰＭＩを前記基地局にフィードバックするように送受信機を制御する。
【図面の簡単な説明】
【００４９】
【図１】図１は本発明に係る実施例が提供するチャネル状態情報のフィードバックを制御する方法のフローチャートである。
【図２】図２は本発明に係る実施例が提供するチャネル状態情報のフィードバック方法のフローチャートである。
【図３】図３は本発明に係る実施例が提供するチャネル状態情報のフィードバック制御装置の構造図である。
【図４】図４は本発明に係る実施例が提供するチャネル状態情報のフィードバック装置の構造図である。
【図５】図５は本発明に係る実施例が提供する他のチャネル状態情報のフィードバック制御装置の構造図である。
【図６】図６は本発明に係る実施例が提供する他のチャネル状態情報のフィードバック装置の構造図である。
【発明を実施するための形態】
【００５０】
本発明に係る実施例がチャネル状態情報のフィードバック及びその制御方法及び装置を提供し、大規模のアンテナシステム場合のＣＳＩのフィードバックを実施することにより、ＵＥによるＣＳＩのフィードバック煩雑さが低減され、ネットワーク側がＵＥのＣＳＩのフィードバックをより柔軟的に制御することができる。
【００５１】
アンテナ技術の発展に従って、業界に、各々のアンテナ・エレメントを独立的に制御できうるアクティブ・アンテナが現している。このような設計を採用すれば、アンテナアレイは、従来の二次元平面の水平配列から、三次元立体空間内の水平及び垂直的な配列に転進する。このようなアンテナアレイモードは、従来のアンテナシステムの水平方向におけるビームの動的な調整に限られず、ビームを水平方向及び垂直方向に動的に調整することができるようになる。
【００５２】
大規模なアンテナシステムのビームフォーミング/プリコーディングは、ＵＥから報告を受けたチャネル状態情報に頼る。一般的に、大規模のアンテナシステムのフィードバックコードワードは、２つのＰＭＩに対応し、それぞれ、２つの低次元コードブックにおけるコードワードに対応する。例えば、基地局に総計３２本のアンテナがあり、垂直次元に４本、水平次元に８本がある。システムに２つの低次元ｃｏｄｅｂｏｏｋが定義されており、第１ｃｏｄｅｂｏｏｋは４Txコードブックであり、垂直次元に対応する。第２ｃｏｄｅｂｏｏｋは８Tx コードブックであり、水平次元に対応する。３２Txのプリコーディング（ｐｒｅｃｏｄｅｒ）をフィードバックするため、ＵＥは、第１ＰＭＩ及び第２ＰＭＩをフィードバックする。第１ＰＭＩは、第１ｃｏｄｅｂｏｏｋにおける４Ｔｘ ｐｒｅｃｏｄｅｒ Ｗ１に対応し、第２ＰＭＩは第２ｃｏｄｅｂｏｏｋにおける８Ｔｘ ｐｒｅｃｏｄｅｒ Ｗ２に対応すれば、３２Ｔx precoder Ｗ（１）式で全体的に表すことができる。
【００５３】
【数１】
2018524868.tif 000003
ここで、（１）式に示す全部の３２ＴｘコードブックＷがＷ１、Ｗ２との対応関係は、１つの例にすぎず、他の例もあるが、繰り返して説明しない。
【００５４】
ただし、ｅＮＢが１−ｂｉｔ トリガーＣＳＩ フィードバックを採用すれば、トリガーフィードバックのたびに、，ＵＥは、第１ＰＭＩ及び第２ＰＭＩをともにフィードバックしなければならないため、２点の欠陥がある。
【００５５】
＜欠陥１＞、ＵＥの煩雑さが高い。例えば，第１ｃｏｄｅｂｏｏｋに１６個のｐｒｅｃｏｄｅｒ、第２ｃｏｄｅｂｏｏｋに１２８個のｐｒｅｃｏｄｅｒがあり、Ｗをフィードバックするたびに、ＵＥがいつも第１ＰＭＩ及び第２ＰＭＩをフィードバックすれば、ＵＥは、１６x１２８=２０１８種（第１ＰＭＩ，第２ＰＭＩ）の組み合わせから最適の組み合わせを選択する必要があるため、ＵＥの煩雑さが高い。
【００５６】
＜欠陥２＞、ｅＮＢのスケジューリングの柔軟性が低い。ｅＮＢは、ＵＥからフィードバックされたコンテンツを制御することができない。ｅＮＢは、新しい第１ＰＭＩのフィードバックを要しないが、第２ＰＭＩのフィードバックのみが必要とすれば、１−ｂｉｔ トリガーにより実施することができない。その原因は、１−ｂｉｔ トリガーがいつも第１ＰＭＩ及び第２ＰＭＩをともにフィードバックするためである。実のシステムは、ある場合、ｅＮＢは、ただＰＭＩのフィードバックのみを要し、他のＰＭＩのフィードバックを要らない。例えば、１つの可能性として、ＰＭＩ１は、垂直の次元のフォーミング情報に対応し、垂直の次元におけるＵＥの位置変化は非常に遅くて、ひいてはまったく変化せず、これにより、ＰＭＩ１の変化も遅い。ｅＮＢは、ＵＥからフィードバックされたＰＭＩ１の情報を常に必要とせず、１回のＰＭＩ１のフィードバックの以降、ｅＮＢは、長い間、水平方向のチャネルをしるため、ＵＥからフィードバックされたＰＭＩ２情報のみを必要とする。他の可能性として、ＰＭＩ１に対応する垂直次元の状態情報は、ｅＮＢによりアップリング測定にて得られるため、ＵＥからのフィードバックを必要としない。ｅＮＢは、ＵＥからフィードバックされたＰＭＩ２情報のみを要する。よって、大規模のアンテナシステムのフィードバックには、ｅＮＢが一部のＰＭＩのみのフィードバックをトリガーするが、他の一部のＰＭＩのフィードバックをトリガーしないどいうメカにズームをサポートする必要がある。
【００５７】
説明されたいのは、本発明に係る実施例において、第１ＰＭＩ及び第２ＰＭＩのうち少なくとも１つがフィードバックされる場合、ＣＱＩもともにフィードバックされることができる。
【００５８】
本発明に係る実施例には、ＵＥの高煩雑さを考慮し、例えば，第１ｃｏｄｅｂｏｏｋに１６個のｐｒｅｃｏｄｅｒ、第２ｃｏｄｅｂｏｏｋに１２８個のｐｒｅｃｏｄｅｒが存在する。Ｗをフィードバックするたび、ＵＥがいつも第１ＰＭＩ及び第２ＰＭＩをフィードバックすれば、ＵＥは、１６x１２８=２０１８種（第１ＰＭＩ，第２ＰＭＩ）組み合わせから最適の組み合わせを選出する必要があるため、ＵＥの煩雑さが高い。しかし、もし、ＵＥが第２ＰＭＩのみをフィードバックすれば、ＵＥは１２８種のコードワードから選択すればよい。同様に、ＵＥが第１ＰＭＩのみをフィードバックすれば、ＵＥは、１６種のコードワードから選択すればよい。従って、ＵＥの煩雑さの低減及び基地局の柔軟性の向上のため、本発明に係る実施例には、ネットワーク側が、ＵＥが一部のアンテナのＣＳＩをフィードバックするように通知してもよい、ひいては、ＵＥがＣＳＩをフィードバックしないように通知してもよい。もちろん、全ＣＳＩをフィードバックしてもよい。
【００５９】
図１は、ネットワーク側における、本発明に係る実施例が提供するチャネル状態情報（ＣＳＩ）のフィードバックを制御する方法を示す図である。当該方法は、以下通りに行われる。
【００６０】
Ｓ１０１、基地局は、ＵＥのＣＳＩのフィードバックに対する制御が必要と決定する。前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する。
【００６１】
本発明に係る実施例の技術案の応用シナリオは、大規模のアンテナシステムである。チャネルに積載されているフォーミングマトリックス情報は、ＵＥによりフィードバックされた第１ＰＭＩ及び第２ＰＭＩともにより決定される。例えば、第１ＰＭＩは水平の次元における１個のコードブックに対応し、第２ＰＭＩは垂直次元における１個のコードブックに対応する。２つのＰＭＩに対応するフォーミングマトリックスのＫｒｏｎｅｃｋｅｒ積は、大規模のアンテナシステム全体のフォーミングマトリックス情報をリフレクト（これは単なる１種の可能性に過ぎず、フォーミングマトリックスと第１ＰＭＩ/第２ＰＭＩとの他の対応関係も存在する）する。
【００６２】
Ｓ１０２、前記基地局は、前記ＵＥにＣＳＩのフィードバックのトリガー・シグナリングを送信する。前記トリガー・シグナリングには、第１ＰＭＩ及び/または第２ＰＭＩをフィードバックするか否かを前記ＵＥに指示するための指示情報が含まれる。
【００６３】
前記方法より大規模のアンテナシステム場合のＣＳＩのフィードバックを実現でき、かつ、前記基地局が、前記ＵＥにＣＳＩのフィードバックのトリガー・シグナリングを送信し、前記トリガー・シグナリングに前記ＵＥが第１ＰＭＩまたは第２ＰＭＩをフィードバックするか否かを指示するための指示情報が含まれる場合、ＵＥは、一部のＣＳＩのみをフィードバックし、例えば、アンテナアレイに対応する一部のＣＳＩ次元の情報のみをフィードバックする。前記方法に通じて、基地局は、ＵＥによるＣＳＩのフィードバックに対する制御が必要であることを決定する場合、前記ＵＥにＣＳＩのフィードバックに対するトリガー・シグナリングを送信し、前記トリガー・シグナリングに前記ＵＥが一部のＣＳＩをフィードバックするように指示するための指示情報が含まれ、こうして、大規模のアンテナシステムにおいて、ＵＥは、全部のＣＳＩではなく、一部のＣＳＩ（例えば、一部の次元のアンテナに対応するＣＳＩ）を計算・フィードバックすればよい。これにより、ＣＳＩのフィードバックの煩雑さが低減され、ネットワーク側がＵＥのＣＳＩのフィードバックをより柔軟的に制御することができるようになる。
【００６４】
本発明に係る実施例には、依然として、３Ｄ−ＭＩＭＯコードワードが２つのＰＭＩ（即ち、第１ＰＭＩ及び第２ＰＭＩ）に対応すると仮定する。なので、本発明に係る実施例には、下記４種のトリガー状態をサポートする。
【００６５】
状態１：ＵＥが第１ＰＭＩ及び第２ＰＭＩを報告するようにトリガーする。
【００６６】
状態２：ＵＥが第１ＰＭＩのみを報告するようにトリガーする。
【００６７】
状態３：ＵＥが第２ＰＭＩのみを報告するようにトリガーする。
【００６８】
状態４：ＵＥがいずれかのＰＭＩをフィードバックするようにトリガーしない。
【００６９】
例えば、システムにおいて、シグナリングによりＵＥに１個の第１ＰＭＩの仮定を通知し、ＵＥは、前記第１ＰＭＩの仮定に基づいて第２ＰＭＩ及びＣＱＩを計算・フィードバックする。システムにより通知された第１ＰＭＩは、垂直の次元の第１ＰＭＩに対応することができ、チャネル・レシプロシティーにより得られるか、または、前の第１ＰＭＩのフィードバックにより得られる。こうして、システムがＵＥに第１ＰＭＩを通知したとすれば、ＵＥは（１）式により第２ＰＭＩを計算することができる。これは、ＵＥが第２ＰＭＩのコードブックのみを検索すればよいので，煩雑さが大幅に低減される。
【００７０】
第１ＰＭＩ及び第２ＰＭＩのトリガーは、シグナリングにおいて、異なるビットをそれぞれにエンコーディングするか、または、同様なビットをエンコーディングすることにより行う。以下、第１ｃｏｄｅｂｏｏｋにＭ個のｃｏｄｅｗｏｒｄ、第２ｃｏｄｅｂｏｏｋにＮ個のｃｏｄｅｗｏｒｄが含まれると仮定する。ここで、第１ＰＭＩは、第１ｃｏｄｅｂｏｏｋにおけるｃｏｄｅｗｏｒｄに対応し、第２ＰＭＩは第２ｃｏｄｅｂｏｏｋにおけるｃｏｄｅｗｏｒｄに対応する。
【００７１】
よって、好ましくは、前記アンテナアレイがNt１本の垂直の次元のアンテナ及びNt２本の水平の次元のアンテナにより構成される場合、Ｍ個のコードワードが含まれる第１コードブックと、Ｎ個のコードワードが含まれる第２コードブックとがプリセットされており、即ち、基地局側とＵＥ側ににおいて、Ｍ個のコードワードが含まれる第１コードブック及びＮ個のコードワードが含まれる第２コードブックを、事前に約束しておく。好ましくは、第１コードブックは、垂直の次元のフォーミングマトリックス情報に対応し、第２コードブックは水平の次元のフォーミングマトリックス情報に対応することができる。
【００７２】
前記トリガー・シグナリングには、前記ＵＥが第１プリコーディングマトリックスインジケーター（ＰＭＩ）をフィードバックするように指示するための指示情報（例えば垂直の次元のアンテナに対応する）及び/または第２ＰＭＩの指示情報（例えば、水平次元アンテナに対応する）が含まれる。前記第１ＰＭＩは、第１コードブックにおけるコードワードと対応し、前記第２ＰＭＩは、第２コードブックにおけるコードワードに対応する。
【００７３】
例えば、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００７４】
または、例えば、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされるか、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００７５】
または、例えば，ネットワーク側は、一部のＰＭＩをＵＥに通知し、また、ＵＥが他の一部のＰＭＩをフィードバックするように通知する。即ち、前記トリガー・シグナリングには、前記ＵＥが前記第１ＰＭＩをフィードバックしないが、前記第２ＰＭＩをフィードバックするように指示するための指示情報と、前記第１ＰＭＩを決定するための指示情報とが含まれ、または、前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれる。
【００７６】
ネットワーク側によりＵＥに通知する一部のＰＭＩは、高位層シグナリングにて擬似静的にＵＥに通知することもできるため、前記トリガー・シグナリングに、ＵＥが第２ＰＭＩをフィードバックするように指示するための指示情報が含まれていない場合、前記方法において、前記基地局は、高位層シグナリングにて前記第２ＰＭＩを決定するための指示情報をＵＥに擬似静的に通知する。
【００７７】
または、前記トリガー・シグナリングにＵＥが第１ＰＭＩをフィードバックするように指示するための指示情報が含まれていない場合、前記方法において、前記基地局は、高位層シグナリングにより、前記第１ＰＭＩを決定するための指示情報をＵＥに擬似静的に通知する。
【００７８】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定する。
【００７９】
または、前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【００８０】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれる。
【００８１】
または、前記トリガー・シグナリングにＵＥが第１ＰＭＩをフィードバックするように指示するための指示情報が含まれていない場合、前記トリガー・シグナリングには、ＵＥが高位層シグナリングにより擬似静的に通知された、第１ＰＭＩまたは、前回にフィードバックした第１ＰＭＩを利用して第１ＰＭＩを決定するための指示情報が含まれる。
【００８２】
例えばｅＮＢは、ＵＬ/ＤＬチャネル・レシプロシティーにより、アップリングチャネルの垂直次元のフォーミング情報（第１ＰＭＩに等価）を測定して、第１ＰＭＩを高位層シグナリングにてＵＥに通知する。ＵＥは、当該第１ＰＭＩを測定した報告すべき第２ＰＭＩとして仮定する。他の実施方式としては、ｅＮＢは、ＵＥ自分で第１ＰＭＩを測定するようにトリガーし、当該第１ＰＭＩに基づいて第２ＰＭＩを検出する。あるシナリオにおいて、２つの状態の間で動的な切り換える必要がある。例えば、ＵＥの移動速度の変化が大きい場合、ＵＥのスピードは高くしてもよく、低くしてもよい。ＵＥのスピードが低い場合、ｅＮＢにより測定された第１ＰＭＩの精度を認めることができ、ｅＮＢは、ＵＥに高位層シグナリングにより通知された第１ＰＭＩを利用するように許可させる。あるタイミングでＵＥのスピードが高い場合、ｅＮＢは、自身で測定第１ＰＭＩの精度が低いと予測するため、ＵＥにより測定された第１ＰＭＩを基準としてもよい。
【００８３】
これに応じて、ＵＥ側において、図２に示した本発明に係る実施例が提供するチャネル状態情報（ＣＳＩ）のフィードバック方法は、以下とおりである。
【００８４】
Ｓ２０１、ＵＥは、基地局からＣＳＩのフィードバックのトリガー・シグナリングを受信する。前記トリガー・シグナリングには、第１ＰＭＩ及び/または第２ＰＭＩをフィードバックするか否かを前記ＵＥに指示するための指示情報が含まれ、例えば、アンテナアレイの一部の次元のアンテナのＣＳＩをフィードバックするように指示するための指示情報が含まれる。
【００８５】
Ｓ２０２、前記ＵＥは、前記トリガー・シグナリングに基づき、ＣＳＩをフィードバックする。
【００８６】
上記方法によれば、ＵＥは、基地局からＣＳＩのフィードバックのトリガー・シグナリング（前記ＵＥが第１ＰＭＩ及び/または第２ＰＭＩ（例えば、アンテナアレイの一部次元のアンテナのＣＳＩ）をフィードバックするか否かを指示するための指示情報が含まれる）を受信し、前記ＵＥは、前記トリガー・シグナリングに基づき、ＣＳＩをフィードバックし、こうして、大規模のアンテナシステムにおいて、ＵＥは、一部のＣＳＩ（例えば、一部次元のアンテナのＣＳＩ）のみをフィードバックすればよいため、ＣＳＩのフィードバックの煩雑さが低減され、かつ、ネットワーク側がＵＥのＣＳＩフィードバックをより柔軟に制御することができる。
【００８７】
好ましくは、前記アンテナアレイがＮｔ１本の垂直の次元のアンテナと、Ｎｔ２本の水平の次元のアンテナにより構成される場合、Ｍ個のコードワードが含まれる第１コードブックと、Ｎ個のコードワードが含まれる第２コードブックとがプリセットされている。
【００８８】
前記トリガー・シグナリングには、前記ＵＥが第１プリコーディングマトリックスインジケーター（ＰＭＩ）をフィードバックするように指示するための指示情報（例えば垂直の次元のアンテナに対応するＰＭＩ情報）及び/または第２ＰＭＩ（例えば、水平の次元のアンテナに対応する情報）の指示情報が含まれる。ここで、第１ＰＭＩは、第１ｃｏｄｅｂｏｏｋにおけるｃｏｄｅｗｏｒｄに対応し、第２ＰＭＩは、第２ｃｏｄｅｂｏｏｋにおけるｃｏｄｅｗｏｒｄに対応する。
【００８９】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【００９０】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされる。
【００９１】
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【００９２】
好ましくは、前記トリガー・シグナリングには、前記ＵＥが前記第１ＰＭＩをフィードバックしないが、前記第２ＰＭＩをフィードバックするように指示するための指示情報と、前記第１ＰＭＩを決定するための指示情報とが含まれる。前記ＵＥが前記トリガー・シグナリングに基づき、ＣＳＩをフィードバックするのは、前記ＵＥは、前記第１ＰＭＩの指示情報に基づき、第１ＰＭＩを決定し、かつ、第１ＰＭＩに基づいて第２ＰＭＩを決定して、前記第２ＰＭＩを前記基地局にフィードバックする。
【００９３】
または、前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれる。前記ＵＥが、前記トリガー・シグナリングに基づき、ＣＳＩをフィードバックするのは、前記ＵＥは、前記第２ＰＭＩの指示情報二基づき、第２ＰＭＩを決定し、かつ、第２ＰＭＩに基づいて第１ＰＭＩを決定して、前記第１ＰＭＩを前記基地局にフィードバックする。
【００９４】
好ましくは、前記トリガー・シグナリングに、ＵＥが第２ＰＭＩをフィードバックするように指示するための指示情報が含まれていない場合、前記ＵＥは、前記トリガー・シグナリングに基づき、ＣＳＩをフィードバックするのは、前記ＵＥは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックする。
【００９５】
または、前記トリガー・シグナリングにＵＥが第１ＰＭＩをフィードバックするように指示するための指示情報が含まれていない場合、前記ＵＥは、前記トリガー・シグナリングに基づき、ＣＳＩをフィードバックするのは、前記ＵＥは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックする。
【００９６】
以下、詳細に説明する。
【００９７】
ネットワーク側において、基地局がＣＳＩのフィードバックのトリガー・シグナリングを送信する場合、第１ＰＭＩ及び第２ＰＭＩのトリガーフィールドをそれぞれにエンコーディングしてもよく、ともにエンコーディングしてもよい。
【００９８】
第１ＰＭＩ及び第２ＰＭＩのトリガーフィールドをそれぞれにエンコーディングすることについてい、以下、詳細に説明する。
【００９９】
前記方法によれば、トリガー柔軟性が最大になるが、トリガー・シグナリングのオーバヘッド（overhead）も大きくなる。以下、第１ＰＭＩの例を挙げて説明する。第２ＰＭＩは、同様に実施することができるため、繰り返して説明しない。
【０１００】
第１ＰＭＩの場合、以下のような三種のトリガー状態を有する。
【０１０１】
状態１:第１ＰＭＩをフィードバックするようにＵＥをトリガーする。
【０１０２】
状態２:第１ＰＭＩをフィードバックＶＢるようにＵＥをトリガーしない。
【０１０３】
状態３：システムは、第１ＰＭＩをＵＥに通知し、ＵＥは、前記第１ＰＭＩを利用して第２ＰＭＩを計算する。第１ＰＭＩの通知に用いられるシグナリングは複数のビット（bits）を占有する。
【０１０４】
ここで、状態１及び状態２は、１−ｂｉｔでともにエンコーディングすることができる。状態３は、別にエンコーディングしてもよく、状態１及び/または状態２とともにエンコーディングしてもよい。
【０１０５】
＜実施例１＞
下記の表１に示すように、システムが状態３をサポートしなければ、状態１及び状態２は１bitでＵＥに通知される。
【０１０６】
【表１】
2018524868.tif 000004
表１に示すように、即ち、ネットワーク側は、１−ｂｉｔで第１ＰＭＩを報告するか否かをＵＥに通知することができる。例えば，当該ビット値が０であれば、ＵＥに第１ＰＭＩを報告するように通知し、当該ビットが１であれば、第１ＰＭＩを報告しないようにＵＥに通知する。
【０１０７】
＜実施例２＞
2018524868.tif 000005
【０１０８】
【表２】
2018524868.tif 000006
表２に示すように、即ち、ネットワーク側は、１−ｂｉｔで第１ＰＭＩの報告要否をＵＥに通知することができる。例えば，当該ビットが０であれば、ＵＥが第１ＰＭＩを報告することを示し、当該ビットが１であれば、ＵＥが第１ＰＭＩを報告しないことを示す。
【０１０９】
【表３】
2018524868.tif 000007
上の表３に示すように、即ち、ネットワーク側は、第１ＰＭＩのインジケーター・フィールドを利用して第１ＰＭＩをＵＥに通知することができる。例えば、当該インジケーター・フィールドの値が０であれば、第１ｃｏｄｅｂｏｏｋにおける第１番のプリコーディングを第１ＰＭＩとするようにＵＥに通知することを示す。当該インジケーター・フィールドの値が１であれば、第１ｃｏｄｅｂｏｏｋにおける第２番のプリコーディングを第１ＰＭＩとするようにＵＥに通知することを示す。これによって類推し、当該インジケーター・フィールドの値がＭ-１であれば、第１ｃｏｄｅｂｏｏｋにおける第Ｍ番のプリコーディングマトリックスを第１ＰＭＩとするようにＵＥに通知することを示す。ここで、Ｍは、第１ｃｏｄｅｂｏｏｋに含まれるｃｏｄｅｗｏｒｄの数である。ＵＥは、ネットワーク側から通知された第１ＰＭＩを利用して、第２ＰＭＩを計算してフィードバックする。第１ＰＭＩ及び第２ＰＭＩは、１個のプリコーディングマトリックスに対応する全体のチャネルに対応し、例えば（１）式を参照されたい。 
【０１１０】
もう１つの可能のスケジューリング手段は、表３.Ａに示すとおりである。この場合、状態も含んで、ＵＥに第２ＰＭＩを計算・フィードバックするように通知する。例えば、表３.Ａにおいて、対応の状態はＭである。この場合、ネットワークは、ＵＥが第１ＰＭＩをフィードバック（表１参照）するようにスケジューリングしておらず、または、動的なシグナリングにより、ＵＥに仮定の第１ＰＭＩを通知していなければ、ＵＥが第１ＰＭＩで第２ＰＭＩを計算する必要があるのに、この際、ＵＥは、第１ＰＭＩが高位層にて擬似静的なシグナリングにより通知された第１ＰＭＩであると仮定するか、または、前回にフィードバックした第１ＰＭＩであると仮定し、または、１個のプリセットした固定のＰＭＩであると仮定することができる。この際、ネットワークが、ＵＥが第１ＰＭＩをフィードバック（表１参照）するようにスケジューリングすれば、ＵＥは、フィードバックした第１ＰＭＩで、第２ＰＭＩを計算して、かつ第２ＰＭＩをフィードバックすることもできる。または、１個の状態（状態M+１）を含ませるひとにより、不第２ＰＭＩをフィードバックしないようにＵＥ似通知する。
【０１１１】
【表３．Ａ】
2018524868.tif 000008
＜実施例３＞ 
状態３は、状態１、状態２とともにエンコーディングすることができる。以下の表４に示すとおりである。
【０１１２】
【表４】
2018524868.tif 000009
上記の表４に示すように、ネットワーク側は、第１ＰＭＩのインジケーター・フィールド（または、トリガーフィールドと称される）にて第１ＰＭＩをＵＥに通知する。例えば、当該インジケーター・フィールドの値が０であれば、第１ｃｏｄｅｂｏｏｋにおける第１番のプリコーディングを第１ＰＭＩ賭するように通知することを示す。当該インジケーター・フィールドの値が１であれは、ＵＥが第１ｃｏｄｅｂｏｏｋにおける第２番のプリコーディングを第１ＰＭＩとするように通知することを示し、これによって類推すれば、当該インジケーター・フィールドの値がＭ-１であれば、第１ｃｏｄｅｂｏｏｋにおける第Ｍ番のプリコーディングマトリックスと第１ＰＭＩとするようにＵＥに通知することを示す。ここで、Ｍは、第１ｃｏｄｅｂｏｏｋに含まれるｃｏｄｅｗｏｒｄの数である。当該インジケーター・フィールドの値がＭであれば、第１ＰＭＩ及び第２ＰＭＩを報告するようにトＵＥをリガーすることを示す。当該インジケーター・フィールドの値がＭ+１であれば、第１ＰＭＩ及び第２ＰＭＩを報告するようにトＵＥをリガーしないことを示す。ＵＥは、第１ＰＭＩ及び第２ＰＭＩを報告する必要がない。
【０１１３】
ＵＥが第２ＰＭＩをフィードバックするが、第１ＰＭＩをフィードバックしないようにトリガーされば、かつ、システムが第１ＰＭＩをＵＥに通知していいないのに、而ＵＥが第２ＰＭＩを計算するために、第１ＰＭＩを知る必要がある場合、ＵＥは、プリセットした１個の固定の第１ＰＭＩを利用するか、または、システムの高位層シグナリングにて擬似静的にＵＥに通知された第１ＰＭＩを利用するが、または、ＵＥが前回報告された第１ＰＭＩを利用して、第２ＰＭＩを計算することができる。
【０１１４】
以下、第１ＰＭＩ及び第２ＰＭＩのトリガーフィールドをともにエンコーディングすることを説明する。
【０１１５】
ＵＥが少なくとも以下の状態をサポートする必要がある。
【０１１６】
状態１：ＵＥは第１ＰＭＩ及び第２ＰＭＩをフィードバックする。
【０１１７】
状態２：ＵＥは第１ＰＭＩも第２ＰＭＩもフィードバックしない。
【０１１８】
状態３：ＵＥは第２ＰＭＩをフィードバックするが、第１ＰＭＩをフィードバックしない。ＵＥは、ｅＮＢから通知された１個の第１ＰＭＩを利用して第２ＰＭＩのフィードバックする。
【０１１９】
状態３は、状態１、状態２と別々にエンコーディングすれば、動的なシグナリングには、２つのトリガーフィールドが含まれることができる。１−ｂｉｔは、第１ＰＭＩ及び第２ＰＭＩのフィードバックをトリガーするのに用いられ、以下の表５に示すとおりである。たの１つのフィールドのbitは、システムにより第１ＰＭＩに関する仮定をＵＥに通知するのに用いられ、即ち、第１ＰＭＩをＵＥに通知し、下記の表５に示すとおりである。
【０１２０】
【表５】
2018524868.tif 000010
上記表５に示すように、第１ＰＭＩ及び第２ＰＭＩの１−ｂｉｔ トリガーフィールドの値が０であれば、ＵＥをトリガーして第１ＰＭＩ及び第２ＰＭＩを報告することを示す。第１ＰＭＩ及び第２ＰＭＩの１−ｂｉｔ トリガーフィールドの値が１であれば、第１ＰＭＩ及び第２ＰＭＩを報告するようにＵＥをトリガーしない。即ち、ＵＥは、第１ＰＭＩ及び第２ＰＭＩを報告しない。つまり、状態１及び状態２は、表５に示す方法でトリガーする。
【０１２１】
【表６】
2018524868.tif 000011
上記の表６に示すように、第１ＰＭＩの１−ｂｉｔ インジケーター・フィールドの値が０であれば、第１ｃｏｄｅｂｏｏｋにおける第１番のプリコーディングを第１ＰＭＩとして、第２ＰＭＩを報告するようにＵＥをトリガーすることを示す。第１ＰＭＩの１−ｂｉｔ インジケーター・フィールドの値が１であれば、第１ｃｏｄｅｂｏｏｋにおける第２番のプリコーディングを第１ＰＭＩとして、第２ＰＭＩを報告するようにＵＥをトリガーすることを示す。これによって類推すれば、第１ＰＭＩの１−ｂｉｔ インジケーター・フィールドの値がＭ-１であれば、第１ｃｏｄｅｂｏｏｋにおける第Ｍ個のプリコーディングを第１ＰＭＩとし、第２ＰＭＩを報告するようにＵＥをトリガーすることを示す。
【０１２２】
即ち、状態３は、表６に示す方式でトリガーする。
【０１２３】
状態３がは、状態１、状態２とともにエンコーディングすれば、動的なシグナリングに複数のビットを含ませることによりトリガーすることができる。例えば：
【０１２４】
【表７】
2018524868.tif 000012
上記の表７に示すように、インジケーター・フィールド（または、トリガーフィールド）の値が０であれば、第１ｃｏｄｅｂｏｏｋにおける第１番のプリコーディングを第１ＰＭＩとするようにＵＥをトリガーすることを示す。インジケーター・フィールド（または、トリガーフィールド）の値が１であれば、第１ｃｏｄｅｂｏｏｋにおける第２番のプリコーディングを第１ＰＭＩとするようにＵＥをトリガーすることを示す。このように類推すれば、インジケーター・フィールド（または、トリガーフィールド）の値がＭ-１であれば、第１ｃｏｄｅｂｏｏｋにおける第Ｍ番のプリコーディングを第１ＰＭＩとし、第２ＰＭＩを報告するようにＵＥをトリガーすることを示す。インジケーター・フィールド（または、トリガーフィールド）の値がＭであれば、第１ＰＭＩ及び第２ＰＭＩを報告するようにＵＥをトリガーすることを示す。インジケーター・フィールド（または、トリガーフィールド）の値がＭ+１であれば、第１ＰＭＩ及び第２ＰＭＩを報告するようにＵＥをトリガーしないことを示し、即ち、ＵＥは、第１ＰＭＩ及び第２ＰＭＩを報告しない。
【０１２５】
上記の第１ＰＭＩ及び第２ＰＭＩは、交代利用可能であることを留意されたい。
【０１２６】
上記方法に応じて、図３に示すように、ネットワーク側、例えば基地局において、本発明に係る実施例がは、チャネル状態情報（ＣＳＩ）のフィードバック制御装置を提供し、当該装置は、
ＵＥによるＣＳＩのフィードバックに対する制御が必要であることを決定する第１ユニット１１であって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する前記第１ユニット１１と、
前記ＵＥにＣＳＩのフィードバックに対するトリガー・シグナリングを送信する第２ユニット１２であって、前記トリガー・シグナリングには、第１ＰＭＩ及び/または第２ＰＭＩをフィードバックするか否かを前記ＵＥに指示するための指示情報が含まれる前記第２ユニット１２とを備える。
【０１２７】
好ましくは、前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれる。
【０１２８】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされる。
【０１２９】
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【０１３０】
好ましくは、前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれる。
【０１３１】
または、前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれる。
【０１３２】
好ましくは、前記トリガー・シグナリングに、ＵＥが第２ＰＭＩをフィードバックするように指示するための指示情報が含まれていない場合、前記第２ユニットは、高位層シグナリングにて第２ＰＭＩを決定するための指示情報をＵＥに擬似静的に通知する。
【０１３３】
または、前記トリガー・シグナリングにＵＥが第１ＰＭＩをフィードバックするように指示するための指示情報が含まれていない場合、前記第２ユニットは、高位層シグナリングにて前記第１ＰＭＩを決定するための指示情報をＵＥに擬似静的に通知する。
【０１３４】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定する。
【０１３５】
または、前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【０１３６】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれる。
【０１３７】
または、前記トリガー・シグナリングにＵＥが第１ＰＭＩをフィードバックするように指示するための指示情報が含まれていない場合、前記トリガー・シグナリングには、ＵＥが高位層シグナリングにて擬似静的に通知された第１ＰＭＩを利用するかまたは前回にフィードバックした第１ＰＭＩを利用して第１ＰＭＩを決定するように指示するための指示情報が含まれる。
【０１３８】
これに応じて、ＵＥ側において、図４に示すように、本発明に係る実施例が提供するチャネル状態情報（ＣＳＩ）のフィードバック装置は、
基地局から送信されたＣＳＩのフィードバックのトリガー・シグナリングを受信する受信ユニット２１であって、前記トリガー・シグナリングに、前記ＵＥが第１プリコーディングマトリックスインジケーター情報（ＰＭＩ）及び/または第２ＰＭＩをフィードバックするか否かを指示するための指示情報が含まれる前記受信ユニット２１と、
前記トリガー・シグナリングに基づき、ＣＳＩをフィードバックするフィードバックユニット２２とを備える。
【０１３９】
好ましくは、前記トリガー・シグナリングには、ＵＥが第１ＰＭＩ及び第２ＰＭＩをともにフィードバックするように指示するための指示情報が含まれる。
【０１４０】
または、前記トリガー・シグナリングには、ＵＥが前記第１ＰＭＩ及び第２ＰＭＩをフィードバックしないように指示するための指示情報が含まれる。
【０１４１】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされる。
【０１４２】
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【０１４３】
好ましくは、前記トリガー・シグナリングには、前記ＵＥが前記第１ＰＭＩをフィードバックしないが、前記第２ＰＭＩをフィードバックするように指示するための指示情報と、前記ＵＥが前記第１ＰＭＩをフィードバックしないが、前記第２ＰＭＩをフィードバックするように第１ＰＭＩを決定するための指示情報とが含まれる。前記フィードバックユニットは、前記第１ＰＭＩの指示情報に基づき、第１ＰＭを決定し、第１ＰＭＩに基づき第２ＰＭＩを決定して、前記第２ＰＭＩを前記基地局にフィードバックする。
【０１４４】
または、前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれる。前記フィードバックユニットは、前記第２ＰＭＩの指示情報に基づき、第２ＰＭＩを決定し、第２ＰＭＩに基づいて第１ＰＭＩを決定して、前記第１ＰＭＩを前記基地局にフィードバックする。
【０１４５】
好ましくは、前記トリガー・シグナリングに、ＵＥが第２ＰＭＩをフィードバックするように指示するための指示情報が含まれていない場合、前記フィードバックユニットは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックする。
【０１４６】
または、前記トリガー・シグナリングにＵＥが第１ＰＭＩをフィードバックするように指示するための指示情報が含まれていない場合、前記フィードバックユニットは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックする。
【０１４７】
図５に示すように、ネットワーク側において、本発明に係る実施例は、他のチャネル状態情報（ＣＳＩ）のフィードバック制御装置を提供し、当該装置は、プロセッサ５００と、送受信機５１０とを備え、前記プロセッサ５００は、メモリ５２０に格納されたプログラムを読み出して、ＵＥによるＣＳＩのフィードバックに対する制御が必要であることを決定し、前記ＵＥにＣＳＩのフィードバックに対するトリガー・シグナリングを送信するように送受信機５１０を制御する。前記トリガー・シグナリングには、第１ＰＭＩ及び/または第２ＰＭＩをフィードバックするか否かを前記ＵＥに指示するための指示情報が含まれ。前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する。
【０１４８】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【０１４９】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされる。
【０１５０】
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【０１５１】
好ましくは、前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれる。
【０１５２】
または、前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれる。
【０１５３】
好ましくは、前記トリガー・シグナリングに、ＵＥが第２ＰＭＩをフィードバックするように指示するための指示情報が含まれていない場合、前記プロセッサ５００は、高位層シグナリングにて前記第２ＰＭＩを決定するための指示情報を擬似静的にＵＥに通知するように送受信機５１０を制御する。
【０１５４】
または、前記トリガー・シグナリングにＵＥが第１ＰＭＩをフィードバックするように指示するための指示情報が含まれていない場合、前記プロセッサ５００は、高位層シグナリングにて前記第１ＰＭＩを決定するための指示情報をＵＥに擬似静的に通知するように送受信機５１０を制御する。
【０１５５】
好ましくは、前記トリガー・シグナリングに、ＵＥが第２ＰＭＩをフィードバックするように指示するための指示情報が含まれていない場合、前記ＵＥは、前回にフィードバックした第２ＰＭＩを利用して第２ＰＭＩを決定する。
【０１５６】
または、前記トリガー・シグナリングにＵＥが第１ＰＭＩをフィードバックするように指示するための指示情報が含まれていない場合、前記ＵＥは、前回にフィードバックした第１ＰＭＩを利用して第１ＰＭＩを決定する。
【０１５７】
好ましくは、前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれる。
【０１５８】
または、前記トリガー・シグナリングにＵＥが第１ＰＭＩをフィードバックするように指示するための指示情報が含まれていない場合、前記トリガー・シグナリングには、ＵＥが高位層シグナリングにて擬似静的に通知された第１ＰＭＩを利用するかまたは前回にフィードバックした第１ＰＭＩを利用して第１ＰＭＩを決定するように指示するための指示情報が含まれる。
【０１５９】
送受信機５１０は、プロセッサ５００の制御によりデータを送受信する。
【０１６０】
図５において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バズアーキテクチャ及び通常の処理を監視し、メモリ５２０は、プロセッサ５００が動作する際に利用するデータを記憶することができる。
【０１６１】
また、ＵＥ側において、図６に示すように、本発明に係る実施例が提供する他のチャネル状態情報（ＣＳＩ）のフィードバック装置は、プロセッサ６００と、送受信機６１０とを備える。
【０１６２】
前記プロセッサ６００は、メモリ６２０格納されたプログラムを読み出して、
送受信機６１０を制御して基地局から送信されたＣＳＩのフィードバックのトリガー・シグナリングを受信し、前記トリガー・シグナリングに基づき、送受信機６１０を制御してＣＳＩのフィードバックを行う。前記トリガー・シグナリングに、前記ＵＥが第１プリコーディングマトリックスインジケーター情報（ＰＭＩ）及び/または第２ＰＭＩをフィードバックするか否かを指示するための指示情報が含まれる。
【０１６３】
好ましくは、前記トリガー・シグナリングには、ＵＥが第１ＰＭＩ及び第２ＰＭＩをともにフィードバックするように指示するための指示情報が含まれ、または、前記トリガー・シグナリングには、ＵＥが前記第１ＰＭＩ及び第２ＰＭＩをフィードバックしないように指示するための指示情報が含まれる。
【０１６４】
好ましくは、前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされる。
【０１６５】
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされる。
【０１６６】
好ましくは、前記トリガー・シグナリングには、前記ＵＥが前記第１ＰＭＩをフィードバックしないが、前記第２ＰＭＩをフィードバックするように指示するための指示情報と、前記第１ＰＭＩを決定するための指示情報とが含まれる。前記プロセッサ６００は、前記第１ＰＭＩの指示情報に基づき、第１ＰＭを決定し、かつ、第１ＰＭＩに基づいて第２ＰＭＩを決定し、前記第２ＰＭＩを前記基地局にフィードバックするように送受信機６１０を制御する。
【０１６７】
または、前記トリガー・シグナリングには、前記ＵＥが前記第２ＰＭＩをフィードバックしないが、前記第１ＰＭＩをフィードバックするように指示するための指示情報と、前記第２ＰＭＩを決定するための指示情報とが含まれる。前記プロセッサ６００は、前記第２ＰＭＩの指示情報に基づき、第２ＰＭＩを決定し、第２ＰＭＩに基づいて第１ＰＭＩを決定し、送受信機６１０を制御して、前記第１ＰＭＩを前記基地局にフィードバックする。
【０１６８】
好ましくは、前記トリガー・シグナリングに、ＵＥが第２ＰＭＩをフィードバックするように指示するための指示情報が含まれていない場合、前記プロセッサ６００は、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づいて、第１ＰＭＩを決定し、送受信機６１０を制御して前記第１ＰＭＩ前記基地局にフィードバックする。
【０１６９】
または、前記トリガー・シグナリングにＵＥが第１ＰＭＩをフィードバックするように指示するための指示情報が含まれていない場合、前記プロセッサ６００は、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定し、送受信機６１０を制御して、前記第２ＰＭＩを前記基地局にフィードバックする。
【０１７０】
送受信機６１０は、プロセッサ６００の制御によりデータを送受信する。
【０１７１】
図６において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１７２】
プロセッサ６００は、バズアーキテクチャ及び通常の処理を監視し、メモリ６２０は、プロセッサ６００が動作する際に利用するデータを記憶することができる。
【０１７３】
総じて、本発明に係る実施例が大規模のアンテナシステムに適用する非周期的の（ａｐｅｒｉｏｄｉｃ） ＣＳＩ フィードバック及びその制御（またはトリガー）を提供し、第１ＰＭＩ及び第２ＰＭＩのフィードバックを別々にトリガーすることができる。ｅＮＢにより一部のＣＳＩの仮定（例えば、第１ＰＭＩ）を提供することができ、こうして、他の一部のＣＳＩ例えば、第２ＰＭＩ）をフィードバックする。これにより、従来のシステムが大規模のアンテナシステム場合のＣＳＩのフィードバックをサポートしない問題を解決し、また、ＵＥによるＣＳＩのフィードバックの煩雑さが高くなくなり、基地局によるＣＳＩのフィードバックに対する制御の柔軟性が高められた。
【０１７４】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１７５】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１７６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１７７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１７８】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１７９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１８０】
本出願は、２０１５年６月４日に中国特許局に提出し、出願番号が２０１５１０３０１１６５.７であり、発明名称が（チャネル状態情報のフィードバック及びその制御方法及び装置）の中国特許出願を基礎とする優先権を主張し、その開示の総てをここに取り込む。
【図１】
2018524868.tif 000013
【図２】
2018524868.tif 000014
【図３】
2018524868.tif 000015
【図４】
2018524868.tif 000016
【図５】
2018524868.tif 000017
【図６】
2018524868.tif 000018
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
基地局は、ＵＥのＣＳＩのフィードバックに対する制御が必要と決定するステップであって、前記ＣＳＩにには、少なくとも第１プリコーディングマトリックスインジケーター情報（ＰＭＩ）が含まれ、第２ＰＭＩ，前記第１ＰＭＩ及び前記第２ＰＭＩは同一のプリコーディングマトリックスに対応する前記決定ステップと、 
前記基地局は、前記ＵＥにＣＳＩのフィードバックのトリガー・シグナリングを送信するステップであって、前記トリガー・シグナリングには、第１ＰＭＩ及び/または第２ＰＭＩをフィードバックするか否かを前記ＵＥに指示するための指示情報が含まれる前記送信ステップとを備えることを特徴とするチャネル状態情報（ＣＳＩ）のフィードバックを制御する方法。
【請求項２】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項１に記載のチャネル状態情報（ＣＳＩ）のフィードバックを制御する方法。
【請求項３】
前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、または、
前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされることを特徴とする請求項２に記載のチャネル状態情報（ＣＳＩ）のフィードバックを制御する方法。
【請求項４】
前記トリガー・シグナリングには、前記ＵＥが前記第１ＰＭＩをフィードバックしないが、前記第２ＰＭＩをフィードバックするように指示するための指示情報と、及前記ＵＥが前記第１ＰＭＩをフィードバックしないが、前記第２ＰＭＩをフィードバックするように第１ＰＭＩを決定するための指示情報とが含まれ、
または、前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれることを特徴とする請求項１に記載のチャネル状態情報（ＣＳＩ）のフィードバックを制御する方法。
【請求項５】
前記トリガー・シグナリングに、ＵＥが第２ＰＭＩをフィードバックするように指示するための指示情報が含まれていない場合、前記方法は、前記基地局は、高位層シグナリングにより、第２ＰＭＩを決定するための指示情報をＵＥに擬似静的に通知するステップをさらに備え、
または、
前記トリガー・シグナリングにＵＥが第１ＰＭＩをフィードバックするように指示するための指示情報が含まれていない場合、前記方法は、前記基地局は、高位層シグナリングにより、前記第１ＰＭＩを決定するための指示情報をＵＥに擬似静的に通知するステップをさらに備えることを特徴とする請求項１に記載のチャネル状態情報（ＣＳＩ）のフィードバックを制御する方法。
【請求項６】
前記トリガー・シグナリングに、ＵＥが第２ＰＭＩをフィードバックするように指示するための指示情報が含まれていない場合、前記基地局は、前記ＵＥが前回にフィードバックした第２ＰＭＩを利用して第２ＰＭＩを決定するように制御し、または、
前記トリガー・シグナリングにＵＥが第１ＰＭＩをフィードバックするように指示するための指示情報が含まれていない場合、前記基地局は、前記ＵＥが前回にフィードバックした第１ＰＭＩを利用して第１ＰＭＩを決定する用に制御することを特徴とする請求項１に記載のチャネル状態情報（ＣＳＩ）のフィードバックを制御する方法。
【請求項７】
前記トリガー・シグナリングに、ＵＥが第２ＰＭＩをフィードバックするように指示するための指示情報が含まれていない場合、前記トリガー・シグナリングには、ＵＥが高位層シグナリングにて擬似静的通知された第２ＰＭＩを決定するように指示するための指示情報を利用するか、または、前回にフィードバックした第２ＰＭＩを利用して第２ＰＭＩを決定するための指示情報が含まれ、または、
前記トリガー・シグナリングにＵＥが第１ＰＭＩをフィードバックするように指示するための指示情報が含まれていない場合、前記トリガー・シグナリングには、ＵＥが高位層シグナリングにより擬似静的に通知された、第１ＰＭＩ、または、前回にフィードバックした第１ＰＭＩを利用して第１ＰＭＩを決定するための指示情報が含まれることを特徴とする請求項１に記載のチャネル状態情報（ＣＳＩ）のフィードバックを制御する方法。
【請求項８】
ＵＥは、基地局からＣＳＩのフィードバックのトリガー・シグナリングを受信するステップであって、前記トリガー・シグナリングには、前記ＵＥが第１プリコーディングマトリックスインジケーター情報（ＰＭＩ）及び/または第２ＰＭＩをフィードバックするか否かを指示するための指示情報が含まれる前記受信ステップと、
前記ＵＥは、前記トリガー・シグナリングに基づき、ＣＳＩをフィードバックするステップと、を備えることを特徴とするチャネル状態情報（ＣＳＩ）のフィードバック方法。
【請求項９】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項８に記載のチャネル状態情報（ＣＳＩ）のフィードバック方法。
【請求項１０】
前記トリガー・シグナリングに含まれるＵＥが第１ＰＭＩをフィードバックするように指示するための指示情報および、第２ＰＭＩをフィードバックするように指示するための指示情報には、同様なビットコードでエンコーディングされ、
または、前記トリガー・シグナリングに含まれるＵＥが第１ＰＭＩをフィードバックするように指示するための指示情報および、第２ＰＭＩをフィードバックするように指示するための指示情報には、異なるビットコードでエンコーディングされることを特徴とする請求項９に記載のチャネル状態情報（ＣＳＩ）のフィードバック方法。
【請求項１１】
前記トリガー・シグナリングには、前記ＵＥが前記第１ＰＭＩをフィードバックしないが、前記第２ＰＭＩをフィードバックするように指示するための指示情報と、前記ＵＥが前記第１ＰＭＩをフィードバックしないが、前記第２ＰＭＩをフィードバックするように第１ＰＭＩを決定するための指示情報とが含まれ、前記ＵＥが前記トリガー・シグナリングに基づき、ＣＳＩをフィードバックするのは、前記ＵＥは、前記第１ＰＭＩの指示情報に基づき、第１ＰＭＩを決定し、かつ、第１ＰＭＩに基づいて第２ＰＭＩを決定して、前記第２ＰＭＩを前記基地局にフィードバックし、
または、
前記トリガー・シグナリングには、前記ＵＥが前記第２ＰＭＩをフィードバックしないが、前記第１ＰＭＩをフィードバックするように指示するための指示情報と、第２ＰＭＩを決定するための指示情報とが含まれ、前記ＵＥが前記トリガー・シグナリングに基づき、ＣＳＩをフィードバックするのは、前記ＵＥは、前記第２ＰＭＩの指示情報二基づき、第２ＰＭＩを決定し、かつ、第２ＰＭＩに基づいて第１ＰＭＩを決定して、前記第１ＰＭＩを前記基地局にフィードバックすることを特徴とする請求項８に記載のチャネル状態情報（ＣＳＩ）のフィードバック方法。
【請求項１２】
前記トリガー・シグナリングに、ＵＥが第２ＰＭＩをフィードバックするように指示するための指示情報が含まれていない場合、前記ＵＥが前記トリガー・シグナリングに基づき、ＣＳＩをフィードバックするのは、前記ＵＥは、プリセットされた第２ＰＭＩ、または、前記基地局から高位層シグナリングにてＵＥに擬似静的に通知した前記第２ＰＭＩを決定するための指示情報、または、前回報告された第２ＰＭＩに基づき、第１ＰＭＩを決定して、前記第１ＰＭＩを前記基地局にフィードバックし、
または、前記トリガー・シグナリングにＵＥが第１ＰＭＩをフィードバックするように指示するための指示情報が含まれていない場合、前記ＵＥが前記トリガー・シグナリングに基づき、ＣＳＩをフィードバックするのは、前記ＵＥは、プリセットされた第１ＰＭＩ、または、前記基地局から高位層シグナリングにてＵＥに擬似静的に通知された前記第１ＰＭＩを決定するための指示情報、または、前回報告された第１ＰＭＩに基づき、第２ＰＭＩを決定して、前記第２ＰＭＩを前記基地局にフィードバックすることを特徴とする請求項８に記載のチャネル状態情報（ＣＳＩ）のフィードバック方法。
【請求項１３】
ＵＥによるＣＳＩのフィードバックに対する制御が必要であることを決定する第１ユニットであって、前記ＣＳＩには、少なくとも、第１プリコーディングマトリックスインジケーター情報（ＰＭＩ）と、第２ＰＭＩとが含まれ、前記第１ＰＭＩ及び前記第２ＰＭＩは同一のプリコーディングマトリックスに対応する前記第１ユニットと、
前記ＵＥにＣＳＩのフィードバックに対するトリガー・シグナリングを送信し、前記トリガー・シグナリングには、第１ＰＭＩ及び/または第２ＰＭＩをフィードバックするか否かを前記ＵＥに指示するための指示情報が含まれる第２ユニットとを備えることを特徴とするチャネル状態情報（ＣＳＩ）のフィードバック制御装置。
【請求項１４】
前記トリガー・シグナリングには、ＵＥが第１ＰＭＩ及び第２ＰＭＩをともにフィードバックするように指示するための指示情報が含まれ、または、
前記トリガー・シグナリングには、ＵＥが前記第１ＰＭＩ及び第２ＰＭＩをフィードバックしないように指示するための指示情報が含まれることを特徴とする請求項１３に記載のチャネル状態情報（ＣＳＩ）のフィードバック制御装置。
【請求項１５】
基地局から送信されたＣＳＩのフィードバックのトリガー・シグナリングを受信する受信ユニットであって、前記トリガー・シグナリングに、前記ＵＥが第１プリコーディングマトリックスインジケーター情報（ＰＭＩ）及び/または第２ＰＭＩをフィードバックするか否かを指示するための指示情報が含まれる前記受信ユニットと、
前記トリガー・シグナリングに基づき、ＣＳＩをフィードバックするフィードバックユニットとを備えることを特徴とするチャネル状態情報（ＣＳＩ）のフィードバック制御装置。
【国際調査報告】
2018524868.tif 000019
2018524868.tif 000020
2018524868.tif 000021
2018524868.tif 000022